(57)【要約】【課題】粉体接着剤を用いて電子写真方式により袋の作製と圧着印刷物の作製が出来且つ通常のカラー印刷物の作成も行う画像記録装置を提供する。【解決手段】シート６を搬送ベルト１４に給送し、印刷部７は休止し、粉体接着剤塗布部８はシート６の３辺又は対向する２辺に粉体接着剤４４を塗布し、定着部１２で仮定着し、シート折り部２５で二つ折りし、圧着部２６で圧着して口空き無地袋を作製する。またシート６を搬送ベルト１４に給送し、印刷部７は第１面に宛名と差出人を印字し、シート面反転装置１１は表裏反転させて搬送ベルト１４に給送し、印刷部７は第２面に秘匿情報を印字し、粉体接着剤塗布部８は秘匿情報印字面に粉体接着剤を転写し、定着部１２は秘匿情報を定着すると共に粉体接着剤を仮定着させ、シート折り部２５で二つ折りし、圧着部２６で圧着して二つ折り圧着印刷物を作製する。三つ折り圧着印刷物も同様に作製でき、搬送ベルト１４、印刷部７、定着部１２、シート面反転装置１１により通常の片面印刷や両面印刷ができる。【選択図】      図１
2008162029.tif 000002
【特許請求の範囲】
【請求項１】
搬送装置と、複数の画像記録ユニットと、粉体接着剤転写ユニットと、定着装置と、シート折り装置と、シート圧着装置と、
を少なくとも備えたことを特徴とする画像記録装置。
【請求項２】
前記搬送装置は、シート収容装置から給送される枚葉紙状のシートを搬送し、
前記粉体接着剤転写ユニットは、前記シートの所定の３辺の縁部又は所定の対向する二辺の縁部に粉体接着剤を電子写真方式で転写し、
前記定着装置は、前記シートに転写された前記粉体接着剤を熱と圧力で前記シートに仮定着させ、
前記シート折り装置は、前記シートの前記粉体接着剤の転写面を内側にして所定の中央部を折り曲げて前記シートを二つ折りし、
前記シート圧着装置は、二つ折りされた前記シートに熱と圧力を加えて前記シートの前記粉体接着剤の塗布部分を圧着して、
口の空いた袋を作製することを特徴とする請求項１記載の画像記録装置。
【請求項３】
前記定着装置の後段に配置されたシート反転搬送装置を更に備え、
前記複数の画像記録ユニットは、前記搬送装置により搬送される前記シートの所定の面に公開情報を記録し、
シート反転搬送装置は、前記シートを表裏反転させて前記搬送装置に給送し、
前記粉体接着剤転写ユニットは、前記シートの前記公開情報が記録された面の反対側面の前記所定の縁部分に前記粉体接着剤を転写する、
ことを特徴とする請求項２記載の画像記録装置。
【請求項４】
前記シート圧着装置の後段に配置された裁断分離装置を更に備え、
前記粉体接着剤転写ユニットは、前記粉体接着剤の転写に加えて前記所定の縁部分と縁部分の間の中央部分に更に前記粉体接着剤を転写し、
前記裁断分離装置は、圧着された前記シートを所定の箇所で裁断分離して口の空いた二つの袋を同時に作製する、
ことを特徴とする請求項２又は３記載の画像記録装置。
【請求項５】
前記定着装置の後段に配置されたシート反転搬送装置を更に備え、
前記搬送装置は、シート収容装置から給送される枚葉紙状のシートを搬送し、
前記複数の画像記録ユニットは、前記搬送装置により搬送される前記シートの第１面の所定の面に公開情報である宛名情報、差出人情報、通知情報、又は広告情報とを記録し、
前記定着装置は、前記第１面に記録された前記公開情報を定着させ、
前記シート反転搬送装置は、前記シートを表裏反転させて前記搬送装置に給送し、
前記複数の画像記録ユニットは、前記搬送装置により搬送される前記シートの第２面の所定の面に秘匿情報を記録し、
前記粉体接着剤転写ユニットは、前記シートの前記秘匿情報の転写面に重ねて前記粉体接着剤を転写し、
前記定着装置は、前記シートに記録された前記秘匿情報又は前記公開情報を定着すると共に前記秘匿情報の転写面に重ねて転写された前記粉体接着剤を仮定着させ、
前記シート折り装置は、前記シートの前記粉体接着剤の転写面を内側にして所定の中央部を折り曲げて前記シートを二つ折りし、
前記シート圧着装置は、二つ折りされた前記シートに熱と圧力を加えて前記シートの前記粉体接着剤の塗布部分を圧着して、
二つ折り圧着印刷物を作製することを特徴とする請求項１記載の画像記録装置。
【請求項６】
前記複数の画像記録ユニットは、前記搬送装置により搬送される前記シートの第１面の所定の面に秘匿情報を記録すると共に他の所定の面に公開情報である宛名情報を記録し、
前記粉体接着剤転写ユニットは、前記シートの前記第１面の前記秘匿情報の転写面に重ねて前記粉体接着剤を転写し、
前記定着装置は、前記シートの前記第１面に記録された前記秘匿情報又は前記公開情報を定着すると共に前記秘匿情報の転写面に重ねて転写された前記粉体接着剤を仮定着させ、
前記シート反転搬送装置は、前記シートを表裏反転させて前記搬送装置に給送し、
前記複数の画像記録ユニットは、前記搬送装置により搬送される前記シートの第２面の所定の面に秘匿情報を記録すると共に他の所定の面に公開情報である差出人情報、通知情報、又は広告情報を記録し、
前記粉体接着剤転写ユニットは、前記シートの前記第２面の前記秘匿情報の転写面に重ねて前記粉体接着剤を転写し、
前記定着装置は、前記シートの前記第２面に記録された前記秘匿情報又は前記公開情報を定着すると共に前記秘匿情報の転写面に重ねて転写された前記粉体接着剤を仮定着させ、
前記シート折り装置は、前記シートの所定の２箇所を山折と谷折りして前記シートを三つ折りし、
前記シート圧着装置は、三つ折りされた前記シートに熱と圧力を加えて前記シートの前記粉体接着剤の塗布部分を圧着して、
三つ折り圧着印刷物を作製することを特徴とする請求項５記載の画像記録装置。
【請求項７】
前記シート圧着装置の後段に配置された裁断分離装置を更に備え、
該裁断分離装置は、圧着された前記シートを所定の箇所で裁断分離して二つの二つ折り圧着印刷物又は二つの三つ折り圧着印刷物を同時に作製する、
ことを特徴とする請求項５又は６記載の画像記録装置。
【請求項８】
前記搬送装置は、シート収容装置から給送される枚葉紙状のシートを搬送し、
前記複数の画像記録ユニットは、前記搬送装置により搬送される前記シートの第１面に所定の画像を記録し、
前記定着装置は、前記第１面に記録された前記画像を前記シートに定着させ、
前記粉体接着剤転写ユニットは休止し、
前記シート折り装置は休止し、
前記シート圧着装置は休止して、
前記画像を第１面に定着された前記シートを後段に排出して完成シート収納装置に収納する、
ことを特徴とする請求項１記載の画像記録装置。
【請求項９】
前記定着装置の後段に配置されたシート反転搬送装置を更に備え、
前記搬送装置は、シート収容装置から給送される枚葉紙状のシートを搬送し、
前記複数の画像記録ユニットは、前記搬送装置により搬送される前記シートの第１面に所定の画像を記録し、
前記定着装置は、前記第１面に記録された前記画像を前記シート定着させ、
前記シート反転搬送装置は、前記シートを表裏反転させて前記搬送装置に給送し、
前記複数の画像記録ユニットは、前記搬送装置により搬送される前記シートの第２面に所定の画像を記録し、
前記定着装置は、前記第２面に記録された前記画像を前記シートに定着させ、
前記粉体接着剤転写ユニットは休止し、
前記シート折り装置は休止し、
前記シート圧着装置は休止して、
前記第１面及び第２面に前記画像を定着された前記シートを後段に排出して完成シート収納装置に収納する、
ことを特徴とする請求項８記載の画像記録装置。
【発明の詳細な説明】
【技術分野】
【０００１】
本発明は、袋の作製と圧着印刷物の作製とカラー印刷物の作成を兼ねて行うことができる画像記録装置に関する。
【背景技術】
【０００２】
従来、特定の個人のみへ文字情報を伝達するために、一般に、文字記載物を封書の形態にし、開封後に始めて当該個人が文字情報を確認できるようにしていた。
近年、個人情報保護が厳しく問われるようにもなり、各種事業所等では、例えば、個人の各種データ、成績表、給与明細書等の個人情報は、これを文字記載物の内部の印字箇所に記録して、印字箇所の周縁部もしくは文字記載物の全面を接着や圧着により封筒状やカード状にして配布したりしている。
【０００３】
このうち、はがきサイズのカード状のものは圧着はがきと呼ばれており、通常の郵便はがきと同じ料金で利用できることから、情報提供者側の利便性が高い印字（印刷）情報秘匿システムとして、広告宣伝のダイレクトメール等にも汎用されている。
【０００４】
このような圧着はがき等による印字情報秘匿システムを利用するには、従来、専門の製造業者に委託するか、高価な圧着はがき等製造・印刷装置を導入するかして秘匿情報を作成していた。
【０００５】
これらの圧着はがき等製造・印刷装置を用いて秘匿情報を作成するには、接着剤を情報印字の後に塗布する方法や、情報印字の前に塗布する方法等があるが、いずれにしても秘匿情報を大量に作成するという前提が必須であり高価であった。
【０００６】
また、そのような製造業者への委託は、個人情報の流出の問題も潜在的に存在しており好ましい秘匿情報の作成方法とはいえない。
ところで、近年、パソコンやプリンタの発達と相侯って、小規模事業所や個人でも利用できるように、少量単位でも簡易に圧着はがきを作成できるようにしたものも提案されている。
【０００７】
例えば、感圧接着剤を予め塗布した剥離紙付きはがき用紙が販売されている。これは、２つ折り内部の印字面に所定の文字情報等を印字後に、感圧接着剤部分を圧着して投函用の圧着はがきを完成させるものである。
【０００８】
また、例えば、粘着フイルムとはがき用紙を一組にしたものが販売されている。これは、２つ折り内部の印字面に所定の文字情報等を印字後に、２つ折り内部に粘着フイルムを挟むようにして圧着して、投函用の圧着はがきを作成できるようにしたものである。
【０００９】
しかしながら、これでもコスト高は避けられず、取り扱いが煩雑であり、個人的に数枚の圧着はがきを作成するのなら良いが、ある程度の枚数単位で、安価で、迅速に、且つ対需要即応体制で作成できるものではない。
【００１０】
そこで、粘着剤を内包したマイクロカプセルから成るトナー状粘着剤を静電印刷法により基材の表面に転写してフラッシュ定着させ、接着時には圧力によりマイクロカプセルを破壊しカプセル内の粘着剤を浸出させるようにして、圧着はがきを容易に作成できるとする提案がなされている。また、この提案では、粘着剤を溶融、混練、粉砕した粉砕トナーも示唆されている。（例えば、特許文献１参照。）
【００１１】
また、事務用プリンタや複写機の交換用の印字用カートリッジに圧着用物質を入れて、それら事務用プリンタ又は複写機による印字作業と同様の操作で圧着用物質を官製はがきや封筒に塗布し、その後、圧着専用機にかけるようにし、圧着専用機にかけるところまでを１台のプリンタ又は複写機で出来るとする提案がなされている。また、この提案では、二つ折りの片面、三つ折の中央両面に圧着用物質を塗布することが示唆されている。（例えば、特許文献２参照。）
【００１２】
また、感熱接着剤を含むトナーを用い、電子写真方式により画像を対需要即応式で作成する方法が提案されている。この提案では、感熱接着剤の軟化温度は電子写真方式用のトナーの結着樹脂の軟化温度よりも高くなるように構成し、また、感熱接着剤の電子写真方式用トナーに占める割合を５〜６０重量％とし、また、感熱接着剤の組成は熱接着性樹脂、ホットメルト及びワックス類からなる群より選ばれる１種類以上を含むようにすることが提案されている。（例えば、特許文献３参照。）
【００１３】
また、従来、各種紙袋及び各種フイルム袋の製造に当たっては、特殊大型装置を用い、ロール形状の原反から多数の袋を一括して製造している。（例えば、特許文献４参照。）
ユーザはこのような装置で製造された各種袋を、各種の目的に応じて購入して使用しているのが一般的である。
【００１４】
また、上位シートと下位シートを重ね合わせて製袋するに際し、シートの三方周辺部を接着する接着剤としてトナーを用いる方法も提案されている。（例えば、特許文献５参照。）
【特許文献１】特開平０９−１０４８４９号公報（段落０００５、００１４、図１、図３、図６）
【特許文献２】特開２０００−００６５５３号公報（要約、図なし）
【特許文献３】特開２００４−１２６２３１号公報（段落００８５〜００８７、図なし）
【特許文献４】特開２０００−２０３５９３号公報（要約）
【特許文献５】特開２００３−０４０２７８号公報（要約、図１、図３）
【発明の開示】
【発明が解決しようとする課題】
【００１５】
しかしながら、特許文献１の技術は、マイクロカプセル式のトナーについては構成及び組成について記載されてはいるが、粉砕トナーについては単なる思い付き程度に示唆されているのみであり、具体的な組成、製法、及び用法についての記載がなく、これでは、この分野の当業者といえども有用な粉砕トナーを作成することは勿論、試作することさえ出来ない。
【００１６】
また、特許文献２の技術は、圧着専用機にかける前までの官製はがきや封筒による印字情報秘匿書類を作成するものであり、投函用に完成するには圧着専用機にかけなければならない点で利便性と経済性に欠けるものであり、また対需要即応性には程遠いものと言わざるを得ない。
【００１７】
また、特許文献３の技術では、単に感熱接着剤の軟化温度が電子写真方式用のトナーの結着樹脂の軟化温度よりも高く設定されているというのみで、思い付き程度に示唆されてはいるものの感熱接着剤を含むトナーの具体的な材料処方も具体的な用法も開示されていない。
【００１８】
また、そのようなトナー状の圧着はがき用粉体接着剤は今日まで市場に流通もしていない。流通している圧着はがき用接着剤は液状または粘着シート状のものだけである。
【００１９】
また、上記の特許文献４及び５は、いずれも単に袋の作成方法を示しているのみで、袋をどのような装置を用いて作成するのかは開示されていない。
【００２０】
また、そのことは別にしても、一般に袋というものは購入物であるため、使用するに際しては、袋の種類（使用目的）や袋の大きさ（形状）ごとに、それぞれ発注しなければならない。
【００２１】
そして、それぞれの種類や大きさごとに、保管し、在庫管理などを行う必要がある。また、実際の使用に際しては、上述したように、個別情報を手で書き込んだり、印刷を施したりする煩雑な手数を必要とするという問題があった。また、購入物であるからコスト的に高いという問題も必然的に発生する。
【００２２】
本発明の課題は、上記従来の実情に鑑み、実用性のある粉体接着剤の製造方法を確立したうえで、その粉体接着剤を用いて電子写真方式により袋の作製と圧着印刷物の作製が出来、且つ通常のカラー印刷物の作成も行うことができる画像記録装置を提供することである。
【課題を解決するための手段】
【００２３】
本発明の画像記録装置は、搬送装置と、複数の画像記録ユニットと、粉体接着剤転写ユニットと、定着装置と、シート折り装置と、シート圧着装置と、を少なくとも備えて構成される。
【００２４】
この画像記録装置において、例えば、上記搬送装置は、シート収容装置から給送される枚葉紙状のシートを搬送し、上記粉体接着剤転写ユニットは、上記シートの所定の３辺の縁部又は所定の対向する二辺の縁部に粉体接着剤を電子写真方式で転写し、上記定着装置は、上記シートに転写された上記粉体接着剤を熱と圧力で上記シートに仮定着させ、上記シート折り装置は、上記シートの上記粉体接着剤の転写面を内側にして所定の中央部を折り曲げて上記シートを二つ折りし、上記シート圧着装置は、二つ折りされた上記シートに熱と圧力を加えて上記シートの上記粉体接着剤の塗布部分を圧着して、口の空いた袋を作製するように構成される。
【００２５】
そして、例えば、上記定着装置の後段に配置されたシート反転搬送装置を更に備え、上記複数の画像記録ユニットは、上記搬送装置により搬送される上記シートの所定の面に公開情報を記録し、シート反転搬送装置は、上記シートを表裏反転させて上記搬送装置に給送し、上記粉体接着剤転写ユニットは、上記シートの上記公開情報が記録された面の反対側面の上記所定の縁部分に上記粉体接着剤を転写するように構成される。
【００２６】
また、例えば、上記シート圧着装置の後段に配置された裁断分離装置を更に備え、上記粉体接着剤転写ユニットは、上記粉体接着剤の転写に加えて上記所定の縁部分と縁部分の間の中央部分に更に上記粉体接着剤を転写し、上記裁断分離装置は、圧着された上記シートを所定の箇所で裁断分離して口の空いた二つの袋を同時に作製するように構成される。
【００２７】
また、この画像記録装置において、例えば、上記定着装置の後段に配置されたシート反転搬送装置を更に備え、上記搬送装置は、シート収容装置から給送される枚葉紙状のシートを搬送し、上記複数の画像記録ユニットは、上記搬送装置により搬送される上記シートの第１面の所定の面に公開情報である宛名情報、差出人情報、通知情報、又は広告情報とを記録し、上記定着装置は、上記第１面に記録された上記公開情報を定着させ、上記シート反転搬送装置は、上記シートを表裏反転させて上記搬送装置に給送し、上記複数の画像記録ユニットは、上記搬送装置により搬送される上記シートの第２面の所定の面に秘匿情報を記録し、上記粉体接着剤転写ユニットは、上記シートの上記秘匿情報の転写面に重ねて上記粉体接着剤を転写し、上記定着装置は、上記シートに記録された上記秘匿情報又は上記公開情報を定着すると共に上記秘匿情報の転写面に重ねて転写された上記粉体接着剤を仮定着させ、上記シート折り装置は、上記シートの上記粉体接着剤の転写面を内側にして所定の中央部を折り曲げて上記シートを二つ折りし、上記シート圧着装置は、二つ折りされた上記シートに熱と圧力を加えて上記シートの上記粉体接着剤の塗布部分を圧着して、二つ折り圧着印刷物を作製するように構成される。
【００２８】
また、例えば、上記複数の画像記録ユニットは、上記搬送装置により搬送される上記シートの第１面の所定の面に秘匿情報を記録すると共に他の所定の面に公開情報である宛名情報を記録し、上記粉体接着剤転写ユニットは、上記シートの上記第１面の上記秘匿情報の転写面に重ねて上記粉体接着剤を転写し、上記定着装置は、上記シートの上記第１面に記録された上記秘匿情報又は上記公開情報を定着すると共に上記秘匿情報の転写面に重ねて転写された上記粉体接着剤を仮定着させ、上記シート反転搬送装置は、上記シートを表裏反転させて上記搬送装置に給送し、上記複数の画像記録ユニットは、上記搬送装置により搬送される上記シートの第２面の所定の面に秘匿情報を記録すると共に他の所定の面に公開情報である差出人情報、通知情報、又は広告情報を記録し、上記粉体接着剤転写ユニットは、上記シートの上記第２面の上記秘匿情報の転写面に重ねて上記粉体接着剤を転写し、上記定着装置は、上記シートの上記第２面に記録された上記秘匿情報又は上記公開情報を定着すると共に上記秘匿情報の転写面に重ねて転写された上記粉体接着剤を仮定着させ、上記シート折り装置は、上記シートの所定の２箇所を山折と谷折りして上記シートを三つ折りし、上記シート圧着装置は、三つ折りされた上記シートに熱と圧力を加えて上記シートの上記粉体接着剤の塗布部分を圧着して、三つ折り圧着印刷物を作製するように構成される。
【００２９】
また、例えば、上記シート圧着装置の後段に配置された裁断分離装置を更に備え、該裁断分離装置は、圧着された上記シートを所定の箇所で裁断分離して二つの二つ折り圧着印刷物又は二つの三つ折り圧着印刷物を同時に作製するように構成される。
【００３０】
更に、この画像記録装置においては、上記搬送装置は、シート収容装置から給送される枚葉紙状のシートを搬送し、上記複数の画像記録ユニットは、上記搬送装置により搬送される上記シートの第１面に所定の画像を記録し、上記定着装置は、上記第１面に記録された上記画像を上記シートに定着させ、上記粉体接着剤転写ユニットは休止し、上記シート折り装置は休止し、上記シート圧着装置は休止して、上記画像を第１面に定着された上記シートを後段に排出して完成シート収納装置に収納するように構成される。
【００３１】
また、例えば、上記定着装置の後段に配置されたシート反転搬送装置を更に備え、上記搬送装置は、シート収容装置から給送される枚葉紙状のシートを搬送し、上記複数の画像記録ユニットは、上記搬送装置により搬送される上記シートの第１面に所定の画像を記録し、上記定着装置は、上記第１面に記録された上記画像を上記シート定着させ、上記シート反転搬送装置は、上記シートを表裏反転させて上記搬送装置に給送し、上記複数の画像記録ユニットは、上記搬送装置により搬送される上記シートの第２面に所定の画像を記録し、上記定着装置は、上記第２面に記録された上記画像を上記シートに定着させ、上記粉体接着剤転写ユニットは休止し、上記シート折り装置は休止し、上記シート圧着装置は休止して、上記第１面及び第２面に上記画像を定着された上記シートを後段に排出して完成シート収納装置に収納するように構成される。
【発明の効果】
【００３２】
本発明によれば、実用性のある粉体接着剤の製造方法を確立したうえで、その粉体接着剤を用いて電子写真方式により袋の作製と圧着印刷物の作製が出来、且つ通常のカラー印刷物の作成も行うことができる画像記録装置を提供することが可能となる。
【発明を実施するための最良の形態】
【００３３】
以下、本発明の実施の形態を図面に基づいて詳細に説明する。
（実施形態１）
最初にトナー状の粉体接着剤の材料処方及び具体的な作製方法について説明する。尚、この粉体接着剤は、秘匿情報印刷面を圧着後の剥離開封時に、反対面への文字移りが発生しない粉体接着剤として開発されたものである。
【００３４】
先ず、結着樹脂として軟化温度１１０±４℃の炭化水素系樹脂（シクロオレフィンとエチレンの共重合体）９０質量％以上、帯電制御剤０．３〜３質量％、ワックス１〜９質量％を用意する。
【００３５】
これらを、ミキサーにて混合し、その混合物を二軸スクリュー混練機にて温度をかけながら混練し、この混練物を冷却し、機械式粉砕機にて２ｍｍ程度にまで粉砕し、気流式粉砕機にてさらに微粒子にまで粉砕し、適切な粒子径に分級を行う。
【００３６】
その後、この混練粉砕物を、シリコンオイル又はアルキルジシラザンにて表面処理済みのシリカ微粒子０．１〜５質量％（対混練粉砕品）及びアルミナを外添し、軟化温度１０６℃で、平均粒径（体積Ｄ５０）９．０μｍの粉体接着剤としてのトナー状の透明な粉体接着剤を得る。
【００３７】
（実施形態２）
＜画像記録装置＞
続いて、上記のように作製された粉体接着剤を用いて、袋や圧着印刷物を作製する画像記録装置について述べる。
【００３８】
図１は、実施形態２としての画像記録装置の構成を示すブロック図である。同図において、画像記録装置１は、図の右から左へ、給紙装置２、印刷及び接着剤塗布装置３、袋・圧着印刷物完成装置４、出来上がり完成シート収容装置５から成る。
【００３９】
給紙装置２には、枚葉紙状の所定の寸法に予め裁断されている多枚数のシート６が収容されている。このシート６は、例えば表面に印字や印刷が可能な紙状又はフィルム状の部材である。
【００４０】
また、印刷及び接着剤塗布装置３は、印刷部７、樹脂粉体塗布部８、シート搬送部９、シート面反転装置１１、及び定着部１２を備えている。
【００４１】
上記の印刷部７は、３台の電子写真式トナー画像形成ユニット（以下、単に画像形成ユニットという）１３（１３ｍ、１３ｃ、１３ｙ）を備えており、シート搬送部９の搬送ベルト１４及び転写ローラ１５と協働して、搬送ベルト１４により搬送されてくるシート６に必要に応じてカラー画像を形成する。
【００４２】
すなわち、画像形成ユニット１３ｍはマゼンタのトナーを用いてマゼンタのカラー画像を形成する。画像形成ユニット１３ｃはシアンのトナーを用いてシアンのトナー画像を形成する。画像形成ユニット１３ｙはイエローのトナーを用いてイエローのトナー画像を形成する。そして、これら３色の分色画像が塗り重ねられて、シート６の印刷面にフルカラーの可変情報の画像が形成される。
【００４３】
尚、印刷部７の画像形成ユニット１３は、マゼンタ、シアン、イエローの３色印字と限ることなく、必要とする印字の色の種類により、数を増減させてもよい。すなわち、モノクロ印刷専用であれば画像形成ユニット１３は１つでよい。
【００４４】
また、より精細な階調の印刷を行うことが必要とされる場合には、ライトマゼンタ、ライドシアンなどの中間階調の２色分を追加して、合計６つの画像形成ユニット１３を配置するようにすることもできる。また、印刷部７は、トナーを用いる電子写真式の画像形成ユニット１３ではなく、インクジェット方式の画像形成ユニットであってもよい。
【００４５】
次に、本例の構成において、粉体接着剤塗布部８は、上記の電子写真式トナー画像形成ユニット１３と同一構成の粉体接着剤塗布装置１６を備えている。粉体接着剤塗布装置１６では、トナーの代わりに接着機能を有する粉体接着剤を使用する。
【００４６】
画像形成ユニット１３と粉体接着剤塗布装置１６は、使用する粉体が異なるだけで、構成は同一であるので、代表的に画像形成ユニット１３ｙを取り上げて簡単に構成を説明する。
【００４７】
画像形成ユニット１３ｙは、少なくとも、粉体ホッパー１７と、その下部に連設される現像器１８と、この現像器１８の下端開口部に回転可能に配設された現像ローラ１９と、この現像ローラ１９とシート搬送部９の搬送ベルト１４とに当接して配置された感光体ドラム２１と、この感光体ドラム２１の上部周面に近接して配置された記録ヘッド２２を備えている。
【００４８】
粉体ホッパー１７は、下の現像器１８に収容されているトナー（又は粉体接着剤、以下同様）が所定量以下になると図示していない下部供給口を開いて、現像器１８にトナーを補充する。
【００４９】
現像ローラ１９は、その周面に、現像器１８内のトナーを薄層化した状態で保持して回転する。感光体ドラム２１は、その周面の電位を、図示していない初期化帯電器により、所定の電荷を印加されて例えば高マイナス電位に帯電する。
【００５０】
記録ヘッド２２は、図外のホスト機器から送信される画像形成情報に基づいて、高マイナス電位に帯電している感光体ドラム２１の周面を露光して電位を減衰させる。これにより、感光体ドラム２１の周面には、初期化帯電の高マイナス電位と露光で減衰した低マイナス電位による静電潜像が形成される。
【００５１】
感光体ドラム２１は、図の時計回り方向に回転しており、現像ローラ１９との対向部において、低マイナス電位部に、現像ローラ１９からトナーを転写される。これにより、感光体ドラム２１の周面の低マイナス電位部にトナー像又は粉体接着剤像が現像される（反転現像の場合）。
【００５２】
シート搬送部９は、上述した搬送ベルト１４を回転駆動させる駆動ローラ２３と従動ローラ２４を備えている。搬送ベルト１４は、これら駆動ローラ２３と従動ローラ２４間に掛け渡されて張設され、駆動ローラ２３に駆動されて、図の反時計回り方向に循環移動する。
【００５３】
上記のトナー像又は粉体接着剤像は、感光体ドラム２１と転写ローラ１５との対向部において、シート搬送部９の搬送ベルト１４により矢印ａで示すように搬送されてくるシート６に転写される。
【００５４】
シート６は、搬送ベルト１４により矢印ｂのように搬送されながら、画像形成ユニット１３ｍの感光体ドラム２１からマゼンタのトナー像、画像形成ユニット１３ｃの感光体ドラム２１からシアンのトナー像、及び画像形成ユニット１３ｙの感光体ドラム２１からイエローのトナー像を、順次重ねて転写される。尚、このとき、粉体接着剤塗布装置１６の駆動は停止している。
【００５５】
これら３色の分色トナー像を転写されて（塗り重ねられて）、印刷面にフルカラーのトナー像が形成されたシート６は、定着部１２を通過する。これにより、シート６に転写されたフルカラーのトナー像がシート６に定着される。
【００５６】
シート６は、上記に続いて袋・圧着印刷物完成装置４に搬入される。袋・圧着印刷物完成装置４には、シート折り部２５、圧着部２６、分離部２７、排出部２８が設けられている。
【００５７】
＜シート折り装置＞
次に、上記構成の画像記録装置１のシート折り部２５を用いて、シート材（シート状袋材又はシート状圧着印刷物材）を二つ折り又は三つ折りに折り曲げる方法について説明する。
【００５８】
図２(a) 〜(e) は、完成装置４に搬入され、シート折り部２５で二つ折りにされるシート６の折り曲げ方法を示す図である。
尚、同図(a) 〜(e) に示すシート折り部２５の折り装置は、袋又は二つ折り圧着印刷物用の二つ折り動作だけでなく、三つ折り圧着印刷物用の三つ折り動作も可能である。また以下の説明では二つ折りにされる対象となるシート状袋材又は圧着印刷物材を纏めて「シートＰ２」とする。
【００５９】
まず、図２(a) の矢印ｋに示すように、シートＰ２は、シート折り部２５の折込搬入口３１に搬入される。そこで、一次搬送ローラ３２と一次二次搬送ローラ３３が一対となって、シートＰ２を把持して回転し、図２(b) に示すように、シートＰ２を一次引き込み路３４に送り出すように動作する。
【００６０】
一次折込装置３５は、図２(b) に示すように折込搬入口３１と一次引き込み路３４間に張り渡されたシートＰ２の折り目を、図２(c) に示すように折込板３６を突き出して、一次二次搬送ローラ３３と二次三次搬送ローラ３７との対向部に折り込む。
【００６１】
続いて図２(d) に示すように、一次二次搬送ローラ３３と二次三次搬送ローラ３７が一対となって、シートＰ２の上記折り込まれた先端を把持して回転し、シートＰ２を二次引き込み路３８方向に送り出すように動作する。
【００６２】
そのシートＰ２の上記折り込まれた先端が、二次三次搬送ローラ３７と三次搬送ローラ３９との対向部をやや過ぎたタイミングで、二次折込装置４１が折込み兼案内板４２を突き出して、シートＰ２の折り込まれて突き出された先端を、二次三次搬送ローラ３７と三次搬送ローラ３９との対向部方向に案内する。
【００６３】
そのシートＰ２の折り込まれて突き出された先端を、二次三次搬送ローラ３７と三次搬送ローラ３９が一対となって挟持して回転する。これにより、図２(e) に示すように、シートＰ２は、折り込み先端部分から後続部分が二つ折りに重ねられながら圧着装置２６の搬入口４３に送り出される。
【００６４】
続いて、シート状圧着印刷物材の三つ折りの折り曲げについて説明する。
図３(a) 〜(e) は、完成装置４に搬入され、シート折り部２５で三つ折りにされるシート６の折り曲げ方法を示す図である。尚、三つ折りにされる対象となるシート状圧着印刷物材を、以下の説明では「シートＰ３」とする。
【００６５】
まず、図３(a) は、図２(a) 〜(d) の場合と同様に２つ折りのところまで進行した状態を示している。この後、一次搬送ローラ３２と一次二次搬送ローラ３３が一対となってシートＰ３の後部を送り出し、さらに一次二次搬送ローラ３３と二次三次搬送ローラ３７が一対となって、シートＰ３の上記二つ折り部分を把持して回転し、図３(b) に示すように、シートＰ３を二次引き込み路３８方向に送り出す。
【００６６】
そのシートＰ３の上記二つに折り込まれた一枚目Ｐ３−１と二枚目Ｐ３−２の合わせ部分Ｐ３−１２が二次三次搬送ローラ３７と三次搬送ローラ３９との対向部にきたタイミングで、図３(c) に示すように、二次折込装置４１が折込み兼案内板４２を突き出して、シートＰ３の最後部の３枚目Ｐ３−３を折り込む。
【００６７】
二次三次搬送ローラ３７と三次搬送ローラ３９が一対となって、図３(d) に示すようにシートＰ３の最後部の３枚目Ｐ３−３が折り込まれて三重となって突き出された３つ折り部分を挟持して回転する。
【００６８】
これにより、図３(e) に示すように、シートＰ３は、二次三次搬送ローラ３７と三次搬送ローラ３９とにより三つ折りにされながら、圧着装置２６の搬入口４３に送り出される。
【００６９】
図１に戻り、上述した図２又は図３に示したように圧着装置２６の搬入口４３に送り出された二つ折りのシートＰ２又は三つ折りのシートＰ３は、ただちに圧着装置２６本体内に搬入され、予熱と加熱と圧力を加えられて圧着される。
【００７０】
＜圧着装置＞
ここで、圧着装置２６が、単なる熱ローラ対だけから成るとした場合の、シートＰ２又はシートＰ３の圧着面への熱の伝導について考察する。
【００７１】
図４(a) は、圧着装置２６が単なる熱ローラ対だけから成るとした場合の二つ折りのシートＰ２の場合の圧着の態様を示し、同図(b) は、同様の場合における三つ折りのシートＰ３場合の圧着の態様を示す図である。
【００７２】
同図(a),(b) に示すいずれの場合も、接着剤４４が圧着印刷物シートＰ２又はＰ３に挟まれた構成になっている。この接着剤４４を加熱溶融するために、外から熱ローラ対４５（４５ａ、４５ｂ）により挟持・押圧して、圧着印刷物シートＰ２又はＰ３を通して矢印ｍ及びｎのように、熱を浸透伝達する必要がある。
【００７３】
このように、プリンタの定着器のように熱ローラから接着剤４４に直接熱を伝達することが出来ないため、接着剤４４を溶融するためには、熱ローラ４５にはプリンタの定着器で必要とされる熱よりも何倍もの熱が必要である。
【００７４】
ところが、接着剤４４を粉体にして静電現像を用いて圧着印刷物に塗布する本例の方式においては、トナー（接着剤）の保存性の維持と、現像器内での攪拌装置による力学的負荷への耐性を得るために、トナー（接着剤）の軟化点を下げるのには限界がある。
【００７５】
また、たとえ周囲の状況を無視して接着剤の軟化点を下げることが出来たとしてもプリンタの定着器を応用した圧着の構成では、高速線速度で圧着印刷物用紙を搬送しながら圧着するには無理があり、能率の低下を招くことになる。図１に示した、本例の圧着装置２６は、上記の問題を解決したものである。
【００７６】
図５(a) は、圧着装置２６のみを取り出して拡大して示す図であり、図１では図示を省略した本体装置近傍の搬送系も合わせて示している。また、同図(b) は圧着装置２６の予備加熱ユニットのみを取り出して内部構造を透視的に示す図である。
【００７７】
図５(a) に示すように、圧着装置２６は、搬入口４３に搬送ローラ対４６を備え、本体装置内部には熱ローラ対４７（４７ａ、４７ｂ）の上流側直前に、予備加熱ユニット４８が設置されている。
【００７８】
熱ローラ対４７は、一般的なプリンタの定着器と同様の構成になっている。すなわち、一定の温度まで加熱されているとともに、規定の圧力で熱ローラ４７ａと４７ｂ間同士で圧接している。また、本体装置の駆動系から駆動されて回転する。
【００７９】
他方の予備加熱ユニット４８は、同図(b) に示すように、断熱材４９、発熱体５１及び板金５２を順次積層して成る組部材５３の二組を、所定の間隙を介して板金５２の外面を対向させて記置される。
【００８０】
換言すれば、二組の組部材５３の上と下では、板金５２、発熱体５１、断熱材４９の積層順は逆になっている。
上記板金５２の所定の間隙を介して対向する面には、間隙を通過する圧着印刷物の宛名印刷等に例えば擦れなどの悪影響を与えないようにするために、例えばテフロン（登録商標）等の離型性の良好な表面処理がそれぞれ施されている。
【００８１】
また、上記所定の間隙は、シートＰ２又はＰ３が有効に加熱されるためには、１ｍｍ以下の範囲にあることが必要である。これは種々の実験の結果、判明したことである。
また、特には図示しないが、板金５２には温度センサが近接設置されている。この温度センサにより検出される温度情報により、制御部のエンジン部から、発熱体がｏｎ／ｏｆｆ駆動され、板金５２の表面温度が一定になるように加熱温度が制御されている。
【００８２】
この制御温度は、熱ローラ対４７と予備加熱ユニット４８の加熱温度をそれぞれＣｔ、接着剤４４の流出開始温度をＭｔとしたとき、Ｃｔ＝Ｍｔ−１０℃になるように制御される。尚、上記の流出開始温度は島津製作所(株)製のフローテスタによる測定値である。
【００８３】
この圧着装置２６は、図５(a) に示すように、矢印ｍで示すシート搬送方向の予備加熱ユニット４８の長さをＬミリメートルとしたとき、シートＰ２又はＰ３の搬送線速をａミリメートル／秒として、Ｌ／ａ＝０．２以上の関係を有するように構成されている。
【００８４】
また、予備加熱ユニット４８と熱ローラ対４７とが少しでも離れていると、その離れた隙間部分が非加熱区間となって予備加熱ユニット４８で加熱された用紙が冷却されてしまう。
【００８５】
したがって、この不都合を避けるため、図５(a) に示すように、予備加熱ユニット４８の紙排出口４８−１と熱ロール対４７の紙進入口４７−１とは、殆ど隙間が空かないように可及的に近接して配置されている。
【００８６】
シートＰ（Ｐ２又はＰ３）は、図１に示す印刷部７による可変情報の印刷処理と粉体接着剤塗布部８による粉体接着剤の塗布処理と、シート折り部２５による二つ折り又は三つ折りのシート折り処理が終了して、シート折り部２５の二次三次搬送ローラ３７と三次搬送ローラ３９により圧着装置２６の搬入口４３に給送される。
【００８７】
シートＰは、圧着装置２６において、先ず予備加熱ユニット４８の搬送経路５４内を通過しながら加熱される。シートＰは予備加熱ユニット４８から熱ロール対４７に送り込まれ、熱ロール対４７で加熱と共に加圧されて圧着される。
【００８８】
このように、本例では、加熱区間を予備加熱ユニット４８によって長く設定しているため、搬送速度が高速でも十分にシートＰを加熱することが出来、十分な圧着ができるようになる。
【００８９】
この後、必要に応じて、図１に示す分離部２７で裁断される。図１に示した分離部２７の詳細は、特には図示しないが、刃付きローラ及び圧接ローラから成るスプリット型カッター装置である。また、排出部２８は、コロとローラが対向配置された通常の排出用ローラ対である。
【００９０】
（実施形態３）
＜袋の作製＞
図６(a) 〜(f) は、上記のように動作する本例の画像記録装置１において袋を作製する場合の、シート６が二つ折りされる場合の例を２例示す図である。尚図６(a) 〜(f) に示す二つ折りされるシート６の搬送方向は、図１の矢印ｊと同一の矢印ｊで、図６(b) 及び図６(e) に示している。
【００９１】
図６(a),(b),(c) は、縦長の袋を作製する場合の例である。同図(a) に示すように、本例では、印刷部７による可変情報の印刷処理は行わず、無地のままのシートＰ２の３辺の縁部分に、粉体接着剤塗布部８による粉体接着剤の塗布処理を施し、シート折り部２５にて同図(b) に示すように二つ折りし（図２参照）、圧着装置２６において、同図(c) に示すように粉体接着剤塗布部分を圧着したものである。これにより、口５５を形成された縦長の無地袋５６が完成する。
【００９２】
また、図６(d),(e),(f) は、横長の袋を作製する場合の例である。同図(d) に示すように、この場合も印刷部７による可変情報の印刷処理は行わず、無地のままのシートＰ２の対向する２辺の縁部分に、粉体接着剤塗布部８による粉体接着剤の塗布処理を施し、シート折り部２５にて同図(e) に示すように二つ折りし（図２参照）、圧着装置２６において、同図(f) に示すように粉体接着剤塗布部分を圧着したものである。
【００９３】
これにより、口５７を形成された横長の無地袋５８が完成する。完成した無地袋５６又は５８は、図１に示す分離部２７を通過し、排出部２８により外部に排出されて、完成シート収容装置５に収納される。
【００９４】
尚、枚葉紙状のシート部材には、寸法の小さいほうから大きいほうへ、Ａ７、Ｂ７、Ａ６、Ｂ６、Ａ５、Ｂ５、Ａ４、Ｂ４、特殊Ｚ、及びＡ３と呼ばれる寸法がある。これらの寸法のシートＰ２を用いることにより、それぞれ、二辺の寸法が５２×７４、６４×９１、７４×１０５、９１×１２８、１０５×１４８、１２８×１８２、１４８×２１０、１４８×２９７、２１０×２９７（ｍｍ）の縦長又は横長の袋を作製することができる。
【００９５】
図７(a) 〜(f) は、シート６が二つ折りされて二つの無地袋が同時に作製される例を２例示す図である。
図７(a),(b),(c) は、縦長の袋を作製する場合の例である。同図(a) に示すように、本例も印刷部７による可変情報の印刷処理は行わない。そして、無地のままのシートＰ２の中央部と、その中央部を挟んで対向する２辺の縁部分に、粉体接着剤塗布部８による粉体接着剤の塗布処理を施す。
【００９６】
そして、同図(b) に示すように、シート折り部２５にて二つ折りしたのち、分離部２７を通過しながら切り離し線５９に沿って裁断されて、同図(c) に示すように、それぞれ口６１を形成された縦長の２つの無地袋６２が完成する。
【００９７】
また、図７(d),(e),(f) は、横長の２つの袋を同時に作製する場合の例である。同図(d) に示すように、この場合も印刷部７による可変情報の印刷処理は行わず、無地のままのシートＰ２に対して、上下を反転させたＦ字状に粉体接着剤を塗布する。
【００９８】
そして、同図(e) に示すように、シート折り部２５にて二つ折りし、分離部２７を通過しながら切り離し線６３に沿って裁断されて、同図(f) に示すように、それぞれ口６４を形成された横長の２つの無地袋６５が完成する。完成した無地袋６２又は６５は、図１に示す排出部２８により外部に排出されて、完成シート収容装置５に収納される。
【００９９】
尚、上記袋の作製例その１及びその２では、いずれも無地袋を作成しているが、これに限ることなく、例えば、薬袋などを作製する場合は、図６(a),(d) 又は図７(a),(d) とする前段で、粉体接着剤４４を塗布しない袋の表側に、印刷部７による可変情報の印刷処理を行うとよい。
【０１００】
（実施形態４）
＜圧着印刷物用シートのサイズ＞
先ず、最初に圧着印刷物用シートのサイズについて述べる。
【０１０１】
図８(a),(b) は、それぞれ上記画像記録装置１において圧着印刷物用として用いられる枚葉紙状シートのサイズを示す図である。
【０１０２】
同図(a) はＡ４判のシートＰ２を示しており、折り線６６に沿って２つに折り、裁断線６７に沿って裁断すると、それぞれ一面が縦１４．８５ｃｍ、横１０．５ｃｍの２通の二つ折り圧着印刷物を作製することが出来る。
【０１０３】
また、同図(b) はＡ３判のシートの長手方向の一方の端部Ｐ´を予め１０．５ｃｍ切り捨てておいたシートＰ３を示しており、二本の折り線６８に沿って３つに折り、裁断線６９に沿って裁断すると、それぞれ縦１４．８５ｃｍ、横１０．５ｃｍの２通の三つ折り圧着印刷物を作製することが出来る。
【０１０４】
ところで圧着はがきは通常葉書に順ずるものとして取扱われているが、郵便法によれば、私製の通常はがきの一面の寸法は、長辺１４〜１５．４ｃｍ、短辺９〜１０．７ｃｍとなっている。
【０１０５】
したがって、上記図８(a),(b) に示す圧着印刷物の一面の縦横の寸法は、いずれも郵政法で承認されているはがきの寸法の許容範囲の寸法である。
これら図８(a),(b) に示すシートＰ２及びＰ３は、可変情報を両面印刷されるとき、粉体接着剤を塗布されるとき、及び粉体接着剤を仮定着されて折り込まれ、圧着されるとき、いずれも矢印ｂで示す裁断線６７又は６９方向に搬送される。
【０１０６】
＜圧着印刷物の作製＞
図９(a) は、二つ折り圧着印刷物用シートの可変情報印刷終了時の態様を示す図であり、同図(b) は、粉体接着剤塗布終了時の態様を示す図、同図(c) は、その折り曲げ時の態様を示す図である。この図９(a),(b),(c) と再び図１を参照しながら、二つ折り圧着印刷物を作製する動作を説明する。
【０１０７】
先ず、図１に示す本体装置に電源が投入され、使用するシートＰ２の紙質、枚数、印字モード、その他の指定がキー入力あるいは接続するホスト機器からの信号として入力されると可変情報の印字（印刷）とそれに続く粉体接着剤の塗布が開始される。
【０１０８】
先ず、駆動ローラ２３が反時計回り方向に回転し、従動ローラ２４が従動して同じく反時計回り方向に回転する。これにより搬送ベルト１４は、上循環部が印刷部７の３個の感光体ドラム２１に当接して全体が反時計回り方向へ循環移動する。
【０１０９】
これと共に感光体ドラム２１を中心に配置された諸装置が印字タイミングに合わせて順次駆動される。感光体ドラム２１は時計回り方向に回転し、不図示の初期化帯電器が感光体ドラム２１周面に一様な高マイナス電荷を付与し、記録ヘッド２２は、その感光体ドラム２１周面に画像信号に応じて露光を行って低電位部を形成する。
【０１１０】
これにより、上記初期化による高マイナス電位部と、露光による低マイナス電位部からなる静電潜像が感光体ドラム２１周面上に形成される。現像ローラ１９は、その静電潜像の低電位部に現像器１８のトナーを転移させて感光体ドラム２１周面上にトナー像を形成（反転現像）する。
【０１１１】
最上流のトナー画像形成ユニット１３ｙの感光体ドラム２１周面上のトナー像の先端が搬送ベルト１４との対向部に回転搬送されてくるタイミングで、その対向部にシートＰ２の印字開始位置が一致するように、給紙装置２に載置収容されているシート６（シートＰ２）の最上部の一枚が取り出されて、第１面を上向きにして、矢印ａに示すように、シート搬送部９に給送される。
【０１１２】
搬送ベルト１４は給送されたシートＰ２を搬送し、これにより、シートＰ２はトナー画像形成ユニット１３ｙの感光体ドラム２１と転写ローラ１５により形成されている最初の転写部へ搬送される。
【０１１３】
転写ローラ１５は、不図示の転写バイアス電源から出力される転写電流（又は転写電圧）を搬送ベルト１４を介してシートＰ２に印加する。これにより、感光体ドラム２１上にイエロー（ｙ）のトナー像がシートＰ２に転写される。
【０１１４】
続いて、トナー画像形成ユニット１３ｃの感光体ドラム２１と転写ローラ１５により形成されている上流から２番目の転写部においてシアン（ｃ）のトナー像が転写され、更にトナー画像形成ユニット１３ｍの感光体ドラム２１と転写ローラ１５により形成されている上流から３番目の転写部でマゼンタ（ｍ）のトナー像が転写される。
【０１１５】
この最初に行われるフルカラー印字の際には、粉体接着剤塗布装置１６は非印字状態に設定されている。したがって、３色のトナー像を重ねて転写されたシートＰ２は、そのままの状態で搬送ベルト１４により搬送され、搬送ベルト１４から分離されて定着部１２内に搬入される。
【０１１６】
定着部１２は、発熱ローラと押圧ローラによりシートＰ２を押圧挟持し、下流方向に搬送しながら、シートＰ２に熱と圧力とを加えてトナー像を紙面に定着させて、下流側に排出する。
【０１１７】
このとき、シートＰ２は、図９(c) に示すシートＰ２を開いた状態になっており、面Ａに公開情報である宛名情報が印字され、図９(c) では陰になって見えない面Ｂには、これも公開情報である差出人情報が印字されている。尚、差出人情報の他に、公開情報として通知情報又は広告情報等を加えて印字するようにしてもよい。
【０１１８】
この状態で定着部１２から排出されたシートＰ２は、例えば通常印刷時の片面印刷の場合には、袋・圧着印刷物完成装置４に搬送を引き継がれて、その完成装置４を素通りして完成シート収容装置５に収納される。
【０１１９】
しかし、本例にように、圧着印刷物を作製する場合は必ず両面印刷になるので、通常印刷時の両面印刷の場合と同様に、シートＰ２は、図１に矢印ｃ及びｄで示すように、シート面反転装置１１に搬入される。
【０１２０】
シート面反転装置１１に搬入されたシートＰ２は、搬入時の後端部を先端部にして、矢印ｅ、ｆ、ｇ及びｈで示すように、シート供給部方向へ送り返される。そして、送り方向を右から左に反転させ、第２面を上向きにして、再び搬送ベルト１４により搬送される。このとき、シートＰ２は、図９(a) に示すシートＰ２の未だ面Ｃ及び面Ｄが白紙の状態になっている。
【０１２１】
そして、粉体接着剤塗布装置１６が印字状態に設定される。シートＰ２は、搬送ベルト１４により搬送されながら、第１面の印字の場合と同様に３色のトナー像を重ねて転写される。図９(a) に示すシートＰ２は、このときの状態を示している。すなわち第２面の面Ｃ及び面Ｄには、「請求書、１２月分、２万円、１月３１日まで」という秘匿情報７１が印字されている。
【０１２２】
そして、更に、シートＰ２は、粉体接着剤塗布装置１６の転写部で粉体接着剤を塗り重ねられる。図９(b) に示すシートＰ２は、このときの状態を示している。すなわち、印刷部７によって印字された上記秘匿情報７１の上に重ねて透明の粉体接着剤４４が転写されている。
【０１２３】
３色のトナー像からなる秘匿情報７１と粉体接着剤４４を重ねて転写されたシートＰ２は、搬送ベルト１４から分離されて定着部１２内に搬入される。定着部１２は、発熱ローラと押圧ローラによりシートＰ２を押圧挟持し、下流方向に搬送しながら、シートＰ２に熱と圧力とを加えてトナー像を紙面に定着させると共に粉体接着剤４４を仮定着させて、シートＰ２を後方へ排出する。
【０１２４】
定着部１２から排出されたシートＰ２は、袋・圧着印刷物完成装置４に搬送を引き継がれ、シート折り部２５において、図２で説明したように２つ折りされる。図９(c) は、このときのシートＰ２の状態を示している。
【０１２５】
この後、上記面Ｃ及び面Ｄに仮定着されている粉体接着剤４４を、圧着部２６により本定着されて、面Ｃ及び面Ｄが圧着される。そして、分離部２７で、裁断線６７に沿って裁断されて、２通の二つ折り圧着印刷物に分離され、排出部２８により外部に排出されて完成シート収容装置５に収納される。
【０１２６】
図１０(a) は、三つ折り圧着印刷物用シートＰ３の可変情報印刷終了時の態様を示す平面図であり、同図(b),(c) は、粉体接着剤塗布終了時の態様を平面図と側面図で示す図、同図(d) は、その折り曲げ時の態様を斜視図で示す図である。尚、同図(a),(b),(c),(d) に示す矢印ｂも、図９に示した矢印ｂであり、三つ折り圧着印刷物用のシートＰ３の搬送方向を示している。
【０１２７】
同図(a) は、圧着印刷物用シートＰ３の第１面に印刷されている可変情報の図示を省略している。すなわち、図１に示す印刷部７によって、同図(a) に示す面ＰＡ及び面ＰＢには秘匿情報としての可変情報が印字されており、面ＰＣには宛名情報としての可変情報が印字されている。
【０１２８】
その可変情報の印刷に続いて、シートＰ３は、粉体接着剤塗布部８により、秘匿情報印刷面ＰＡ及びＰＢに、同図(b) に示すように、粉体接着剤４４が塗布されて、定着部１２により、可変情報が定着されると共に粉体接着剤４４が仮定着される。
【０１２９】
続いて、シートＰ３は、シート面反転装置１１に搬入され、矢印ｅ、ｆ、ｇ及びｈで示すようにシート供給部方向へ送り返され、表裏反転した状態で、搬送ベルト１４により搬送される。
【０１３０】
そして、シートＰ３は、再び印刷部７により、同図(c) に示す面ＰＤに差出人情報としての可変情報が印字され、面ＰＥ及び面ＰＦに秘匿情報としての可変情報が印字される。尚、面ＰＤには、差出人情報の他に、通知情報又は広告情報等を加えて印字するようにしてもよい。
【０１３１】
続いて、シートＰ３は、粉体接着剤塗布部８により、秘匿情報印刷面ＰＥ及びＰＦに、同図(c) に示すように、粉体接着剤４４を塗布される。そして、定着部１２により、可変情報が定着されると共に粉体接着剤４４が仮定着される。
【０１３２】
表裏それぞれに、３色のトナー像からなる可変情報を定着され粉体接着剤４４を仮定着されたシートＰ３は、袋・圧着印刷物完成装置４に搬送を引き継がれ、シート折り部２５において、図３で説明したように三つ折りされる。図１０(d) は、このときのシートＰ３の状態を示している。
【０１３３】
この後、面ＰＡ、ＰＢ及び面ＰＥ、ＰＦに仮定着されている粉体接着剤４４を、圧着部２６により本定着されて、三つ折り状に圧着される。そして、分離部２７で、裁断線６９に沿って裁断されて、２通の三つ折り圧着印刷物に分離され、排出部２８により外部に排出されて完成シート収容装置５に収納される。
【０１３４】
以上、説明したように、本発明によれば、実用性のある粉体接着剤の製造方法を確立したうえで、その粉体接着剤を用いて電子写真方式により袋の作製と圧着印刷物の作製が出来、且つ通常のカラー印刷物の作成も行うことができる画像記録装置を提供することが可能となる。
【図面の簡単な説明】
【０１３５】
【図１】実施形態２としての画像記録装置の構成を示すブロック図である。
【図２】(a) 〜(e) は画像記録装置の完成装置に搬入されシート折り部で二つ折りにされるシートの折り曲げ方法を示す図である。
【図３】(a) 〜(e) は完成装置に搬入されシート折り部で三つ折りにされるシートの折り曲げ方法を示す図である。
【図４】(a) は圧着装置が単なる熱ローラ対だけから成るとした場合の二つ折りのシートの圧着の態様を示す図、(b) は同様の場合における三つ折りのシートの圧着の態様を示す図である。
【図５】(a) は圧着装置のみを取り出して拡大して示す図、(b) は圧着装置の予備加熱ユニットのみを取り出して内部構造を透視的に示す図である。
【図６】(a) 〜(f) は実施形態３において袋用のシートが二つ折りされる場合の例を２例示す図である。
【図７】(a) 〜(f) は実施形態３において袋用のシートが二つ折りされて二つの無地袋が同時に作製される例を２例示す図である。
【図８】(a),(b) はそれぞれ画像記録装置において実施形態４として作製される圧着印刷物用に用いられる枚葉紙状シートのサイズを示す図である。
【図９】(a) は二つ折り圧着印刷物用シートの可変情報印刷終了時の態様を示す図、(b) は粉体接着剤塗布終了時の態様を示す図、(c) はその折り込み時の態様を示す図である。
【図１０】(a) は三つ折り圧着印刷物用シートの可変情報印刷終了時の態様を示す図、(b),(c) は粉体接着剤塗布終了時の態様を示す図、(d) はその紙折り時の態様を示す図である。
【符号の説明】
【０１３６】
１      画像記録装置
２      給紙装置
３      印刷及び接着剤塗布装置
４      袋・圧着印刷物完成装置
５      完成シート収容装置
６      シート状記録媒体
７      印刷部
８      粉体接着剤塗布部
９      シート搬送部
１１    シート面反転装置
１２    定着部
１３（１３ｍ、１３ｃ、１３ｙ）  トナー画像形成ユニット
１４    搬送ベルト
１５    転写ローラ
１６    粉体接着剤塗布装置
１７    粉体ホッパー
１８    現像器
１９    現像ローラ
２１    感光体ドラム
２２    記録ヘッド
２３    駆動ローラ
２４    従動ローラ
２５    シート折り部
２６    圧着部
２７    分離部
２８    排出部
Ｐ２    二つ折りにされる対象となるシート状袋材又は圧着はがき材
３１    折込搬入口
３２    一次搬送ローラ
３３    一次二次搬送ローラ
３４    一次引き込み路
３５    一次折込装置
３６    折込板
３７    二次三次搬送ローラ
３８    二次引き込み路
３９    三次搬送ローラ
４１    二次折込装置
４２    折込み兼案内板
４３    搬入口
４４    粉体接着剤
４５（４５ａ、４５ｂ）  熱ローラ対
４６    搬送ローラ対
４７（４７ａ、４７ｂ）  熱ローラ対
４８    予備加熱ユニット
４９    断熱材
５１    発熱体
５２    板金
５３    組部材
５４    搬送経路
５５、５７  口
５６、５８  無地袋
５９   切り離し線
６１、６４  口
６２、６５  無地袋
６６、６８  折り線
６７、６９  裁断線
７１    秘匿情報
【図２】
2008162029.tif 000003
【図３】
2008162029.tif 000004
【図８】
2008162029.tif 000005
【図１】
2008162029.tif 000006
【図４】
2008162029.tif 000007
【図５】
2008162029.tif 000008
【図６】
2008162029.tif 000009
【図７】
2008162029.tif 000010
【図９】
2008162029.tif 000011
【図１０】
2008162029.tif 000012